(57)【要約】      （修正有）【課題】店舗用カートに引っ掛けて、自分のショッピングカートの安定保持を気にすることなく買い物ができるショッピングカートを提供する。【解決手段】店舗用カートのかごに引っ掛けるフックを有するショッピングカートであって、車輪と、水平方向に延在するハンドル３１と、鉛直方向に延在し、ハンドルを支持する２本のハンドル支柱３と、水平方向に延在し、ハンドルの下方でハンドル支柱を繋いでいる支持バー４と、支持バーに巻き付けられたベルト部２２及びこのベルト部にフック基部２３を介して接続されたフック本体部２１からなるフック部材２と、を備え、フック本体部が支持バーを回転軸としてＢ方向に回転可能となるように、ベルト部が支持バーに巻き付けられている。また、フック本体部は、フック基部を回転軸として直交するＡ方向にも回転可能に構成されている。【選択図】図２
0003193766.tif 000002
【実用新案登録請求の範囲】
【請求項１】
店舗用カートのかご上縁部に掛着可能な掛着手段を備えるショッピングカートであって、
上記掛着手段は、該ショッピングカートが備えるハンドル支柱の延伸方向に追従するように回転可能であり、掛着手段の上記かご上縁部に掛着する掛着部は、該掛着手段がハンドル支柱の延伸方向に垂直起立したときに、該垂直起立方向に直交する方向に回転可能であることを特徴とするショッピングカート。
【請求項２】
上記掛着手段は、店舗用カートのかご上縁部に掛着可能に形成された掛着部を、ショッピングカートを構成する部材に取り付けるためのベルト部に取り付けて構成していることを特徴とする請求項１に記載のショッピングカート。
【請求項３】
上記掛着手段は、ショッピングカートの中心線上に取り付けられると共に、上記ベルト部が取り付けられる部位が、該ベルト部を受け入れる凹所となっていることを特徴とする請求項２に記載のショッピングカート。
【考案の詳細な説明】
【技術分野】
【０００１】
本考案は、ショッピングカートに関し、詳しくは、スーパーマーケットなどに備える店舗用カートに引っ掛けて使用することができるショッピングカートに関する。
【背景技術】
【０００２】
スーパーマーケット等においては、買物客は購入しようと選んだ商品をショッピングカートに入れ、このショッピングカートを曳いて移動することができる。
【０００３】
しかし、スーパーマーケットなどのように、客自身が購入する物品を店に備える店舗用カートに入れてレジまで持って行って代金を支払うセルフサービスの店では、店舗用カートと自分が持って来たショッピングカートの２台を移動させながら買い物をしなければならないため、大変であった。
【０００４】
特に高齢者の場合は足腰や手の力が弱くなっていることから、店舗用カートと持って来たショッピングカートの２台を移動させているときやケースから商品を取り出しているときなど、自分が持って来たショッピングカートの安定保持を気にして転倒してしまう危険があった。
【０００５】
ショッピングカートを店の入り口やレジ付近に置いてから店舗用カートで買い物をすればよいとも考えられるが、盗難などの恐れもあることからこの方法は非現実的であり、ショッピングカートを持参している客は、自分のショッピングカートと店舗用カートの２台を移動させながら買い物をしなければならなかった。
【０００６】
そして、スーパーマーケットでの買い物は、常温の商品や温かい商品の他にも冷たい商品（生鮮品など）を買う場合、冷温それぞれの商品をレジ袋などの袋に分け入れ、重い方（例えば、常温や温かい商品）の袋をショッピングカートに収納し、軽い方（例えば、冷温商品）の袋を手に提げて帰宅することもあった。このため、一方の手はショッピングカートのハンドルを握り、他方の手は袋を握るため、両手が塞がった状態になってしまうことがあった。
【先行技術文献】
【特許文献】
【０００７】
【特許文献１】特開２０１４−３４２１６号公報
【考案の概要】
【考案が解決しようとする課題】
【０００８】
本考案は、店舗用カートを使用して買い物をするときに、自分が持って来たショッピングカートを店舗用カートに一時的に引っ掛けておくことができるようにして、自分のショッピングカートの安定保持を気にすることなく買い物することができるようにし、また、常温や温かい商品および冷たい商品（生鮮品など）を買って持ち帰る場合も、これら両商品をショッピングカートで持ち帰ることができるショッピングカートを提供することを目的とする。
【課題を解決するための手段】
【０００９】
本考案に係るショッピングカートは、店舗用カートのかご上縁部に掛着可能な掛着手段を備えるショッピングカートであって、上記掛着手段は、図２に示されるように、ショッピングカートが備えるハンドル支柱の延伸方向に追従するよう（矢印Ｂで示される方向）に回転可能であり、掛着手段の上記かご上縁部に掛着する掛着部は、同じく図２に示されるように、掛着手段がハンドル支柱の延伸方向に垂直起立したときに、該垂直起立方向に直交する方向（矢印Ａで示される方向）に回転可能であることを特徴とする。
【００１０】
また、上記掛着手段は、店舗用カートのかご上縁部に掛着可能に形成された掛着部を、ショッピングカートを構成する部材に取り付けるためのベルト部に取り付けて構成していることを特徴とする。
【００１１】
また、上記掛着手段は、ショッピングカートの中心線上に取り付けられると共に、上記ベルト部が取り付けられる部位が、該ベルト部を受け入れる凹所となっていることを特徴とする（図２等参照）。
【考案の効果】
【００１２】
本考案に係るショッピングカートによれば、店舗用カートを使用して買い物をするとき、自分が持って来たショッピングカートを店舗用カートに一時的に引っ掛けておくことができるので、自分が持って来たショッピングカートの安定保持を気にすることなく、安定して店舗用カートを押すことができ、また、容易にケース内から商品を取って店舗用カートのかごに入れることができる。
【００１３】
特には、足腰や手の力が弱い高齢者は、自分が持って来たショッピングカートの安定保持を気にしなくてもよいので、店舗用カートの操作やケース内から商品を取り出すときも容易かつ安全に行うことができ、これにより、高齢者の店舗内事故を著しく低減させることができる。
【００１４】
そして、常温や温かい商品および冷たい商品（生鮮品など）を買って持ち帰る場合、店舗用カートのかご上縁部に掛着する掛着手段の掛着部がショッピングカートに収納しなかった袋（レジ袋などの収納袋）の吊り下げ用のフックになるので、ショッピングカートに収納しなかった袋をこのフックに吊り下げることができる。従って、常温や温かい商品および冷たい商品（生鮮品など）を買って持ち帰る場合も、これらの商品をショッピングカートで持ち帰ることができる。
【図面の簡単な説明】
【００１５】
【図１】本考案に係るショッピングカートの一例を示す斜視図。
【図２】図１の一部拡大斜視図。
【図３】ショッピングカートを店舗用カートに引っ掛けた状態の図。
【図４】図３の一部拡大図。
【図５】ハンドル支柱を引き伸ばした状態のショッピングカートの斜視図。
【図６】商品袋をフックに吊下げた状態の斜視図。
【考案を実施するための形態】
【００１６】
以下、本考案に係るショッピングカートの実施例を、添付図面に示す具体例に基づいて説明する。
【００１７】
本ショッピングカート１は、図１に示すように、店舗用カートのかご上縁部に引っ掛けておくことができる掛着手段たるフック部材２を設けている。フック部材２は、本体の重心よりも上方に設けるのがよい。また、本実施例に示したショッピングカート１では、フック２部材を、両ハンドル支柱３の間に架設している支持バー４に設けている。
【００１８】
フック部材２は、図２に示すように、店舗用カートのかご上縁部に掛着するための掛着部たるフック本体部２１と、フック本体部２１を支持バー４に取り付けるためのベルト部２２とから構成されている。フック本体部２１は、矢印Ａの方向に回転できるようにフック基部２３に取り付けられ、また、ベルト部２２は、矢印Ｂの方向に回転できるようになっている。さらに、ベルト部２２は、ショッピングカート１の中心線上に位置する支持バー４の凹所部４１に取り付けている。
【００１９】
図３は、ショッピングカート１を店舗用カート５に引っ掛けた状態を示している。すなわち、図４に示すように、ショッピングカート１のフック部材２におけるフック本体部２１が、店舗用カート５におけるかご５１の上縁部に掛着する。
【００２０】
図５は、ハンドル３１を引き上げてハンドル支柱３を伸ばした状態である。また、ハンドル支柱３は、使用者の身長などに合わせ適宜伸ばせる長さを調節できるようにしてもよい。
【００２１】
図６は、ショッピングカート１のフック部材２（フック本体部２１）に商品袋たるレジ袋１０を吊り下げた状態を示している。図に示されるように、店舗用カートのかご上縁部に掛着するためのフック部材２は、レジ袋１０の吊り下げ用のフック（フック本体部２１）としても用いることができる。
【００２２】
また、本実施例で示したフック部材２は一例であって、フック本体部２１の形態や寸法も、店舗用カート５に掛着可能であれば特に限定するものではなく、さらに、ベルト部２２の形態や寸法も、支持バー４の凹所部４１に掛着可能であれば特に限定するものではない。
【００２３】
そして、フック部材２の材質も限定するものではなく、合成樹脂や合成ゴムや金属など好適な素材で形成すればよい。そして、ショッピングカート１が特に重い場合、フック部材２の強度を強くするために金属や化学繊維などの骨材を埋設してもよい。
【００２４】
実施例における図中の符号６は、買い物をした物品を入れる収納部、符号７は、ショッピングカート１の車輪、符号８は、ショッピングカート１を起立状態で置いておくためのスタンド、符号９は、店舗用カート５のキャスタ、符号１１は、収納部６とハンドル支柱３との係着用帯体である。そして、収納部６をハンドル３１方向に引き上げ、ハンドル支柱３と係着用帯体１１との係合を解除することによって収納部６をショッピングカート１から取り外すことができる。
【符号の説明】
【００２５】
１…ショッピングカート
２…フック部材
３…ハンドル支柱
４…支持バー
５…店舗用カート
６…収納部
７…車輪
８…スタンド
９…キャスタ
１０…レジ袋
１１…係着用帯体
２１…フック本体部
２２…ベルト部
２３…フック基部
３１…ハンドル
４１…凹所部
５１…かご
【図１】
0003193766.tif 000003
【図２】
0003193766.tif 000004
【図３】
0003193766.tif 000005
【図４】
0003193766.tif 000006
【図５】
0003193766.tif 000007
【図６】
0003193766.tif 000008
【手続補正書】
【提出日】平成26年8月18日(2014.8.18)
【手続補正１】
【補正対象書類名】実用新案登録請求の範囲
【補正対象項目名】全文
【補正方法】変更
【補正の内容】
【実用新案登録請求の範囲】
【請求項１】
店舗用カートのかごに引っ掛けることが可能なフックを有するショッピングカートであって、
車輪と、
水平方向に延在するハンドルと、
鉛直方向に延在し、上記ハンドルを支持する２本のハンドル支柱と、
水平方向に延在し、上記ハンドルの下方で上記２本のハンドル支柱を繋いでいる支持バーと、
上記支持バーに巻き付けられているベルト部及びこのベルト部にフック基部を介して接続されたフック本体部からなるフック部材と、
を備え、
上記フック本体部が上記支持バーを回転軸として回転可能となるように、上記ベルト部が上記支持バーに巻き付けられていることを特徴とする、ショッピングカート。
【請求項２】
上記フック本体部はさらに、上記支持バーの延在する方向と直交する方向に延在する上記フック基部を回転軸として回転可能に構成されていることを特徴とする、請求項１に記載のショッピングカート。
【請求項３】
水平方向に延在する上記支持バーの中央部分が同支持バーの他の部分よりも細く形成されていて、この細く形成されている中央部分に上記ベルト部が巻き付けられていることを特徴とする、請求項２に記載のショッピングカート。